(57)【要約】      （修正有）【課題】軸が短小になった鉛筆でも確実に削ることができ、短小の鉛筆を廃棄せず最後まで使用可能とすることにより資源の有効利用を図ることができると共に、色鉛筆を削って芯が詰まった場合にその芯を除去しやすい鉛筆削り器を提供する。【解決手段】軸長の長い鉛筆を削る場合に使用しうる第１の鉛筆削り部１２と、上記第１の鉛筆削り部により削るのが困難なほど軸長が短小になった鉛筆を削りうる第２の鉛筆削り部１３を有する。上記第２の鉛筆削り部は手動式で、削り孔部が形成された基片と、上記基片の上記削り孔部に沿って取り付けられたカッターのみにより形成される。上記第２の鉛筆削り部は上記第１の鉛筆削り部のダストボックス１７に配置されている。【選択図】図１
0003112225.tif 000002
【実用新案登録請求の範囲】
【請求項１】
軸長の長い鉛筆を削る場合に使用しうる第１の鉛筆削り部と、上記第１の鉛筆削り部により削るのが困難なほど軸長が短小になった鉛筆を削りうる第２の鉛筆削り部を有することを特徴とする鉛筆削り器。
【請求項２】
上記第１の鉛筆削り部は電動によりカッターが回転されるように構成されていることを特徴とする請求項１記載の鉛筆削り器。
【請求項３】
上記第１の鉛筆削り部は手動によりカッターが回転されるように構成されていることを特徴とする請求項１記載の鉛筆削り器。
【請求項４】
上記第２の鉛筆削り部は、削り孔部が形成された基片と、上記基片の上記削り孔部に沿って取り付けられたカッターのみにより形成され、鉛筆の軸を上記削り孔部に挿入して手動により回転させることにより鉛筆を削りうるように構成されていることを特徴とする請求項１〜３記載の鉛筆削り器。
【請求項５】
上記第１の鉛筆削り部はダストボックスを有し、上記第２の鉛筆削り部は上記ダストボックスの露呈している側面部に配置されていることを特徴とする請求項１〜４記載の鉛筆削り器。
【請求項６】
上記ダストボックスは、上記第１の鉛筆削り部のケースから外方へ引き出しうるように構成されていることを特徴とする請求項５記載の鉛筆削り器。
【考案の詳細な説明】
【技術分野】
【０００１】
本考案は鉛筆削り器に係り、特に、軸が短小になった状態でも、確実に鉛筆を削ることができる鉛筆削り器に関する。
【背景技術】
【０００２】
従来の鉛筆削り器には手動式のものと、電動式のものとが存在する。
【０００３】
従来の手動式の鉛筆削り器は、手動でハンドルを回転させることによりカッターも回転させて削り孔部に挿入された鉛筆の軸を削るように構成されており、鉛筆の軸を固定して、該鉛筆の軸を上記削り孔部に送り込む軸送り機構が付設されている。
【０００４】
しかしながら、鉛筆の軸がある程度まで短小になると、上記鉛筆の軸送り機構によって鉛筆の軸を固定することが不可能になることから、短小になった鉛筆の軸を削ることができないという不具合があった。
【０００５】
これに対し、従来の電動式の鉛筆削り器は、モーターでカッターを回転させることにより鉛筆の軸を削るように構成されているが、鉛筆の軸を削り孔部に送り込むために、手で鉛筆の軸を把持して上記削り孔部の奥に向かって押し続けるという操作を必要とした。
【０００６】
上記電動式の鉛筆削り器の場合も、モーターでカッターを回転させる関係上、カッターがケースの略中央部に配置され、削り孔部の入口からカッターまで若干の距離があるので、鉛筆の軸がある程度まで短小になると、鉛筆の軸を手で把持して押し続けるという操作が困難になることから、短小の鉛筆の軸を削ることができないという不具合がある。
【０００７】
即ち、手動式の鉛筆削り器も、電動式の鉛筆削り器も、短小になった鉛筆の軸を削りにくく、軸が短小になった鉛筆は、鉛筆削り器により削られることなく廃棄されることが多く資源が無駄になるという問題がある。
【０００８】
また、手動式の鉛筆削り器も電動式の鉛筆削り器も共通して、色鉛筆を削った場合には色鉛筆の新は柔らかいことから芯が詰まりやすいという不具合がある。
【０００９】
本出願人は、上記の不具合を解消しうる鉛筆削り器について先行技術を調査したが、関連する先行技術文献を見出すことはできなかった。
【考案の開示】
【考案が解決しようとする課題】
【００１０】
そこで本考案の課題は、軸が短小になった鉛筆でも確実に削ることができ、短小の鉛筆を廃棄せず最後まで使用可能とすることにより資源の有効利用を図ることができると共に、色鉛筆を削って芯が詰まった場合にその芯を除去しやすい鉛筆削り器を提供することにある。
【課題を解決するための手段】
【００１１】
上記課題を解決するために、請求項１記載の本考案に係る鉛筆削り器は、軸長の長い鉛筆を削る場合に使用しうる第１の鉛筆削り部と、上記第１の鉛筆削り部により削るのが困難なほど軸長が短小になった鉛筆を削りうる第２の鉛筆削り部を有することを特徴とする。
【００１２】
即ち、請求項１記載の本考案に係る鉛筆削り器にあっては、第１の鉛筆削り部と第２の鉛筆削り部という２つの鉛筆削り部を有し、鉛筆の軸長の長短によって使い分けできるように構成されている。つまり、上記第１の鉛筆削り部は長軸用で、上記第２の鉛筆削り部は短軸用として使用することができる。
【００１３】
また、請求項２記載の本考案に係る鉛筆削り器は、上記第１の鉛筆削り部は電動によりカッターが回転されるように構成されていることを特徴とする。
【００１４】
即ち、請求項２記載の本考案に係る鉛筆削り器にあっては、上記第１の鉛筆削り部が電動式で、モーターでカッターを回転させる構造上の理由から、軸が短小の鉛筆を削るのが困難であるという不具合を解消するために、上記第２の鉛筆削り部が併設されている。
【００１５】
また、請求項３記載の本考案に係る鉛筆削り器は、上記第１の鉛筆削り部は手動によりカッターが回転されるように構成されている。
【００１６】
即ち、請求項３記載の本考案に係る鉛筆削り器にあっては、上記第１の鉛筆削り部が手動式で、鉛筆送り機構を有する関係上、軸が短小の鉛筆を削るのが困難であるという欠点を補うために、上記第２の鉛筆削り部が併設されている。
【００１７】
また、請求項４記載の本考案に係る鉛筆削り器は、上記第２の鉛筆削り部は、削り孔部が形成された基片と、上記基片の上記削り孔部に沿って取り付けられたカッターのみにより形成され、鉛筆の軸を上記削り孔部に挿入して手動により回転させることにより鉛筆を削りうるように構成されていることを特徴とする。
【００１８】
即ち、請求項４記載の本考案に係る鉛筆削り器にあっては、上記第２の鉛筆削り部は、削り孔部が形成された基片と、上記基片の上記削り孔部に沿って取り付けられたカッターのみにより形成されていることから、構造がシンプルで、上記カッターを上記削り孔部の入口近傍に配置できると共に、手動式で手加減が可能なことから、軸が短小になった鉛筆でも支障無く削ることができる。また、色鉛筆を削って芯が詰まった場合も、構造がシンプルなことから芯を除去しやすい。
【００１９】
また、請求項５記載の本考案に係る鉛筆削り器は、上記第１の鉛筆削り部はダストボックスを有し、上記第２の鉛筆削り部は上記ダストボックスの露呈している側面部に配置されていることを特徴とする。
【００２０】
即ち、請求項５記載の本考案に係る鉛筆削り器にあっては、上記第２の鉛筆削り部が、上記第１の鉛筆削り部のダストボックスにおける側面部に配置されていることから、上記第２の鉛筆削り部を配置する場所を特別に確保する必要がない。
また、上記第１の鉛筆削り部のダストボックスを、上記第２の鉛筆削り部のダストボックスとしても共用することができるので、ダストボックスを２つ設ける必要がない。
【００２１】
また、請求項６記載の本考案に係る鉛筆削り器は、上記ダストボックスは、上記第１の鉛筆削り部のケースから外方へ引き出しうるように構成されていることを特徴とする。
【００２２】
即ち、請求項６記載の本考案に係る鉛筆削り器にあっては、上記ダストボックスは、上記第１の鉛筆削り部のケースから外方へ引き出しうるように構成されていることから、上記第２の鉛筆削り部を上記第１の鉛筆削り部のケースから分離して使用することができる。    
従って、上記ケースが大形で扱いにくい場合に、上記第２の鉛筆削り部をケースから分離して使用することができるので、使い勝手が良い。
【考案の効果】
【００２３】
請求項１記載の本考案に係る鉛筆削り器は、軸長の長い鉛筆を削る場合に使用しうる第１の鉛筆削り部と、上記第１の鉛筆削り部により削るのが困難なほど軸長が短小になった鉛筆を削りうる第２の鉛筆削り部を有することから、鉛筆の軸長が長い場合は、上記第１の鉛筆削り部を使用して容易に鉛筆を削ることができ、又、鉛筆の軸長が短小になった場合も、上記第２の鉛筆削り部を使用して容易に鉛筆を削ることができる。
従って、軸長が短小になった鉛筆でも廃棄させずに最後まで使用できるので、資源の無駄を無くすことができる。
【００２４】
また、請求項２記載の本考案に係る鉛筆削り器は、上記第１の鉛筆削り部が電動によりカッターが回転されるように構成されていることから、上記のようにカッターがケースの略中央部に配置され、削り孔部の入口からカッターまで若干の距離があるので、鉛筆の軸がある程度まで短小になると、鉛筆の軸を手で把持して押し続けるという操作が困難になるという不具合が生じやすいが、上記第２の鉛筆削り部を設けることにより、軸が短小になった鉛筆でも容易に削ることができるので、電動式鉛筆削り器の有する上記欠点を補うことができる。
【００２５】
また、請求項３記載の本考案に係る鉛筆削り器は、上記第１の鉛筆削り部が手動によりカッターが回転されるように構成されていることから、上記のように鉛筆の軸送り機構により鉛筆の軸を固定することが不可能になるという不具合が生じやすいが、上記第２の鉛筆削り部を設けることにより、軸が短小になった鉛筆でも容易に削ることができるので、手動式鉛筆削り器の有する上記欠点を補うことができる。
【００２６】
また、請求項４記載の本考案に係る鉛筆削り器は、上記第２の鉛筆削り部が、削り孔部が形成された基片と、上記基片の上記削り孔部に沿って取り付けられたカッターのみにより形成され、鉛筆の軸を上記削り孔部に挿入して手動により回転させることにより鉛筆を削りうるように構成されていることから、上記第２の鉛筆削り部は構造が極めてシンプルで、かつ削り孔部の入口からカッター取付位置までの距離が小さいので、色鉛筆を削って芯が詰まった場合でも、その芯を容易に除去することができる。
また、削り孔部の入口からカッター取付位置までの距離が小さいので、軸が短小になった鉛筆でも支障なく容易に削ることができる。
【００２７】
また、請求項５記載の本考案に係る鉛筆削り器は、上記第１の鉛筆削り部はダストボックスを有し、上記第２の鉛筆削り部は上記ダストボックスの露呈している側面部に配置されていることから、上記第２の鉛筆削り部を手軽に利用することができ、使い勝手が良い。
また、上記第２の鉛筆削り部をケース内部に配置することにより構造が複雑化するのを回避することができ、構造をシンプル化して製造コストを低減することができる。
また、上記第１の鉛筆削り部のダストボックスを上記第２の鉛筆削り部のダストボックスとしても使用することができ、ダストボックスを複数設ける必要がなく、製造コストを低減することができる。
【００２８】
また、請求項６記載の本考案に係る鉛筆削り器は、上記ダストボックスが、上記第１の鉛筆削り部のケースから外方へ引き出しうるように構成されていることから、上記第２の鉛筆削り部を使用する場合に、上記ダストボックスを上記ケースから引き出して片手で把持することにより支持しながら鉛筆を削ることができる。
従って、大形の上記ケースを片手で押えながら鉛筆を回転させて鉛筆を削るよりも、削り易さが向上する。
【考案を実施するための最良の形態】
【００２９】
以下、図面を用いて本考案の実施の形態について説明する。
本実施の形態に係る鉛筆削り器１１は、図１及び図４に示すように、軸長の長い鉛筆を削る場合に使用しうる第１の鉛筆削り部１２と、上記第１の鉛筆削り部１２により削るのが困難なほど軸長が短小になった鉛筆を削りうる第２の鉛筆削り部１３を有している。
また、図１〜図３に示す実施形態では、上記第１の鉛筆削り部１２は電動によりカッターが回転されるように構成されている。
また、図４に示す実施形態では、上記第１の鉛筆削り部１２は手動によりカッターが回転されるように構成されている。
また、上記第２の鉛筆削り部１３は、図２及び図３に示すように、削り孔部１４が形成された基片１５と、上記基片１５の上記削り孔部１４に沿って取り付けられたカッター１６のみにより形成され、鉛筆の軸を上記削り孔部１４に挿入して手動により回転させることにより鉛筆を削りうるように構成されている。
また、図１及び図４に示すように、上記第１の鉛筆削り部１２はダストボックス１７を有し、上記第２の鉛筆削り部１３は、図１、図２及び図４に示すように、上記ダストボックス１７の露呈している側面部１８に配置されている。
また、上記ダストボックス１７は、図２に示すように、上記第１の鉛筆削り部１２のケース１９から外方へ引き出しうるように構成されている。
【実施例１】
【００３０】
図１〜図３は実施例１に係る鉛筆削り器１１を示したものである。
本実施例１に係る鉛筆削り器１１は電動式であり、図１に示すように、軸が長い鉛筆を削るための第１の鉛筆削り部１２を有している。
また、上記第１の鉛筆削り部１２は、図１に示すように、ケース１９の前方側面部２３に鉛筆の軸を挿入しうる削り孔部２２を有し、上記削り孔部２２の内方にカッターと、上記カッターを回転させるためのモーターとを備えている。
【００３１】
また、上記ケース１９には、図１に示すように、電源コード２０が接続され、上記コード２０の先端にはコンセントへ接続するためのプラグ２１が設けられている。
【００３２】
なお、上記カッターとモーターの図は省略する。また、上記第１の鉛筆削り部１２の内部機構は一般的な電動式鉛筆削り器に使用されている機構と同一であり、その機構は周知なので、説明は省略する。
【００３３】
上記鉛筆削り器１１には、図１に示すように、上記ケース１９の下端部で、上記第１の鉛筆削り部１２における上記削り孔部２２の下方位置に、鉛筆の削り屑を収納しうるダストボックス１７が配置されている。
【００３４】
上記ダストボックス１７は、図２に示すように、上記ケース１９から前方へ引き出しうるように形成されている。
【００３５】
上記鉛筆削り器１１は、上記第１の鉛筆削り部１２に加えて第２の鉛筆削り部１３を有している。
【００３６】
上記第２の鉛筆削り部１３は、図１及び図２に示すように、上記ダストボックス１７における前方側面部１８に配置されている。
【００３７】
上記第２の鉛筆削り部１３の鉛筆を挿入しうる削り孔部１４は、上記ダストボックス１７の上記前方側面部１８に開口している。
上記開口部は、図１及び図２に示すように、スライド式の蓋部２４により閉塞しうるように構成されている。
【００３８】
上記第２の鉛筆削り部１３は、図２及び図３に示すように、上記削り孔部１４が成形されている基片１５と、上記基片１５に固定された上記カッター１６のみにより構成されている。
【００３９】
上記基片１５は硬質プラスチックにより形成され、図３に示すように、上記削り孔部１４を有しているが、上記削り孔部１４には長さ方向に沿って切欠部２５が形成されている。
【００４０】
上記カッター１６は、図２に示すように、上記基片１５の上面部に長さ方向に沿って配置され、図３に示すように、その刃部２６を上記切欠部２５に臨ませ、ネジ２７により固定されている。
【００４１】
上記第２の鉛筆削り部１３を構成する上記基片１５は、図３に示すように、上記ダストボックス１７の内部に底面から立設された２枚の支柱部２８の上端部に固定されている。
【００４２】
上記第１の鉛筆削り部１２は、軸長が長い鉛筆を削る場合に使用され、上記第２の鉛筆削り部１３は、繰り返し削られて軸長が短小になった鉛筆を削る場合に使用され、削る場合は、鉛筆の軸を上記削り孔部１４に挿入して手動により回転させる。
【実施例２】
【００４３】
次に、図４は実施例２に係る鉛筆削り器１１を示したものである。
本実施例２に係る鉛筆削り器１１は手動式であり、軸長の長い鉛筆を削るために第１の鉛筆削り部１２を有している。上記第１の鉛筆削り部１２は、図４に示すように、ケース１９の前方に配置された鉛筆送り機構部２９とケース１９とに設けられている。
【００４４】
上記第１の鉛筆削り部１２における上記削り孔部２２は、上記鉛筆送り機構部２９とケース１９とに連通する状態に形成されている。
【００４５】
上記鉛筆送り機構部２９の上面には、図４に示すように、一対のツマミ３０が設けられ、上記ツマミ３０を内方へ移動させると上記削り孔部２２の内部に備えられた鉛筆軸把持部材（図示せず）が開口し、上記ツマミ３０から手を離すと、上記鉛筆軸把持部材が閉じて鉛筆軸を把持固定しうるように構成されている。
【００４６】
上記鉛筆送り機構部２９はケース１９の前方へ突出可能で、その突出状態で上記のように上記削り孔部２２に鉛筆を固定し、鉛筆を削るにつれて内装したバネ部材（図示せず）により後退しながら鉛筆を上記削り孔部２２の奥に向かって押し込むように構成されている。
【００４７】
上記ケース１９の内部にはカッター（図示せず）が上記削り孔部２２の周囲を回転するように配置され、上記カッターを回転させるために上記ケース１９の背面部には、図４に示すように、ハンドル３１が設けられている。
【００４８】
なお、上記第１の鉛筆削り部１２の内部機構は一般的な手動式鉛筆削り器に使用されている機構と同一であり、その機構は周知なので、説明は省略する。
【００４９】
上記鉛筆削り器１１には、図４に示すように、上記ケース１９の下端部で、上記第１の鉛筆削り部１２における上記削り孔部２２の下方位置に、鉛筆の削り屑を収納しうるダストボックス１７が配置されている。上記ダストボックス１７は、上記ケース１９から前方へ引き出しうるように形成されている。
【００５０】
上記鉛筆削り器１１は、上記第１の鉛筆削り部１２に加えて、図４に示すように、第２の鉛筆削り部１３を有している。
上記第２の鉛筆削り部１３は、図４に示すように、上記ダストボックス１７における前方側面部１８に配置されている。
【００５１】
上記第２の鉛筆削り部１３の鉛筆を挿入しうる削り孔部１４は、上記ダストボックス１７の上記前方側面部１８に開口している。上記開口部は、図４に示すように、スライド式の蓋部２４により閉塞しうるように構成されている。
【００５２】
上記第２の鉛筆削り部１３は、図２及び図３に示す上記実施例１と同一に構成されているので、図２及び図３を援用して説明する。
即ち、上記第２の鉛筆削り部１３は、上記削り孔部１４が成形されている基片１５と、上記基片１５に固定された上記カッター１６のみにより構成されている。
また、上記基片１５は硬質プラスチックにより形成され、図３に示すように、上記削り孔部１４を有しているが、上記削り孔部１４には長さ方向に沿って切欠部２５が形成されている。
また、上記カッター１６は、図２に示すように、上記基片１５の上面部に長さ方向に沿って配置され、図３に示すように、その刃部２６を上記切欠部２５に臨ませ、ネジ２７により固定されている。
また、上記第２の鉛筆削り部１３における上記基片１５は、図３に示すように、上記ダストボックス１７の内部に底面から立設された２枚の支柱部２８の上端部に固定されている。
【００５３】
上記第１の鉛筆削り部１２は、軸長が長い鉛筆を削る場合に使用され、上記第２の鉛筆削り部１３は、繰り返し削られて軸長が短小になった鉛筆を削る場合に使用され、削る場合は、鉛筆の軸を上記削り孔部１４に挿入して手動により回転させる。
【００５４】
以下、上記実施例の作用について説明する。
上記実施例に係る鉛筆削り器１１は、図１及び図４に示すように、電動式も手動式も、共に、第１の鉛筆削り部１２と、第２の鉛筆削り部１３という、２つの鉛筆削り部を有している。
鉛筆の軸が長い場合は、上記第１の鉛筆削り部１２を使用して支障なく鉛筆を削ることができる。しかしながら、鉛筆の軸長が短小になった場合は、上記第１の鉛筆削り部１２の構造上の問題から、上記第１の鉛筆削り部１２で短小の鉛筆を削ることが困難になる。
その場合は、上記第２の鉛筆削り部１３を使用して短小の鉛筆を削ることができる。
【００５５】
即ち、上記第２の鉛筆削り部１３は、図２及び図３に示すように、削り孔部１４が形成された基片１５と、上記基片１５の上記削り孔部１４に沿って取り付けられたカッター１６のみにより形成されていることから、構造がシンプルで、上記カッター１６を上記削り孔部１４の入口近傍に配置できると共に、手動式で手加減が可能なことから、軸が短小になった鉛筆でも支障無く削ることができる。
また、色鉛筆を削って芯が詰まった場合も、上記第２の鉛筆削り部１３の構造がシンプルなことから芯を容易に除去することができる。
【００５６】
また、図１及び図４に示すように、上記第２の鉛筆削り部１３は上記第１の鉛筆削り部１２のダストボックス１７に配置されていることから、上記第２の鉛筆削り部１３を配置するための場所を特別に確保する必要が無い。従って、構造が複雑化するのを回避することができる。
また、上記ダストボックス１７は、図２に示すように、上記第１の鉛筆削り部１２のケース１９から外方へ引き出しうるように構成されていることから、上記ケース１９から分離して手で保持しながら鉛筆を削ることができる。従って、使い勝手が良好である。
【産業上の利用可能性】
【００５７】
本考案は、軸が短小になった鉛筆を削るために使用される鉛筆削り器に適用可能である。
【図面の簡単な説明】
【００５８】
【図１】実施例１に係る電動式鉛筆削り器の斜視図である。
【図２】実施例１に係る鉛筆削り器における第二の鉛筆削り部を示す斜視図である。
【図３】図２のＡ−Ａ線における断面図である。
【図４】実施例２に係る手動式鉛筆削り器の斜視図である。
【符号の説明】
【００５９】
１１  鉛筆削り器  
１２  第１の鉛筆削り部
１３  第２の鉛筆削り部
１４  削り孔部
１５  基片
１６  カッター
１７  ダストボックス
１８  側面部
１９  ケース
２０  コード
２１  プラグ
２２  削り孔部
２３  側面部
２４  蓋部
２５  切欠部
２６  刃部
２７  ネジ
２８  支柱部
２９  鉛筆送り機構部
３０  ツマミ
３１  ハンドル
【図１】
0003112225.tif 000003
【図２】
0003112225.tif 000004
【図３】
0003112225.tif 000005
【図４】
0003112225.tif 000006